(57)【要約】【課題】折畳み式携帯端末装置において、セルフタイマー設定時に、反転モード選択機能を設け、撮影された画像の保存の際、自動的に画像を上下反転処理をした上で保存する。【解決手段】カメラ機能付きの折畳み式携帯端末装置を９０度に折畳み、定位置に置く。セルフタイマー撮影時に、撮影を要求されてからの経過時間をセルフタイマーでカウントする。セルフタイマー撮影時に、操作メニュー画面が上下反転するように処理する。セルフタイマー撮影時に、撮影を要求されてから予め設定された時間が経過した場合、被写体を撮影し画像データを生成する。前記生成された画像データを、上下反転の演算処理をした上で保存する。【選択図】図１
2009260517.tif 000002
【特許請求の範囲】
【請求項１】
定位置に置くための台座と、
被写体を撮影し画像データを生成する撮影手段と、
セルフタイマー撮影時に、撮影を要求されてからの経過時間をカウントするセルフタイマーと、
セルフタイマー撮影時に、撮影を要求されてから予め設定された時間が経過した場合、前記撮影手段に対して、撮影を指示する制御手段と
を具備し、
前記制御手段は、セルフタイマー撮影時に、操作メニュー画面が上下反転するように処理し、前記撮影手段により生成された画像データを、上下反転の演算処理をした上で保存する
携帯端末装置。
【請求項２】
請求項１に記載の携帯端末装置であって、
前記制御手段は、撮影設定の中に、前記操作メニュー画面の反転を選択させるための項目を設け、前記項目が指定された場合、前記操作メニュー画面が上下反転するように処理する
携帯端末装置。
【請求項３】
請求項１又は２に記載の携帯端末装置であって、
前記撮影手段は、ムービー録画時に、前記被写体の動画を録画して画像データを生成し、
前記制御手段は、ムービー録画時に、前記操作メニュー画面が上下反転するように処理し、前記撮影手段により生成された画像データを、上下反転処理した上で保存する
携帯端末装置。
【請求項４】
請求項１乃至３のいずれか一項に記載の携帯端末装置であって、
携帯端末装置の反転状態を検出するための検出手段
を更に具備し、
前記制御手段は、前記検出手段により前記携帯端末装置の反転状態が検出された場合、自動的に、前記操作メニュー画面が上下反転するように処理し、前記撮影手段により生成された画像データを、上下反転の演算処理をした上で保存する
携帯端末装置。
【請求項５】
請求項１乃至４のいずれか一項に記載の携帯端末装置であって、
前記制御手段は、セルフタイマーＯＮ設定か、セルフタイマーＯＦＦ設定かを判定し、セルフタイマーＯＦＦ設定の場合、前記撮影手段により通常撮影し、セルフタイマーＯＮ設定の場合、反転切替機能ＯＮ設定か、反転切替機能ＯＦＦ設定かを判定し、反転切替機能ＯＦＦ設定の場合、前記操作メニュー画面を上下反転せずに表示し、反転切替機能ＯＮ設定の場合、前記操作メニュー画面を上下反転して表示し、反転設定フラグを立てる
携帯端末装置。
【請求項６】
請求項５に記載の携帯端末装置であって、
前記制御手段は、前記撮影手段により生成された画像データを取得した際、前記反転設定フラグの判定を行い、設定＝０（無効）か、設定＝１（有効）かを判定し、設定＝０（無効）の場合、前記撮影手段により生成された画像データを、上下反転の演算処理をせずにそのまま保存し、設定＝１（有効）の場合、前記撮影手段により生成された画像データを、上下反転の演算処理をした上で保存する
携帯端末装置。
【請求項７】
カメラ機能付きの携帯端末装置を定位置に置くステップと、
セルフタイマー撮影時に、撮影を要求されてからの経過時間をセルフタイマーでカウントするステップと、
セルフタイマー撮影時に、操作メニュー画面が上下反転するように処理するステップと、
セルフタイマー撮影時に、撮影を要求されてから予め設定された時間が経過した場合、被写体を撮影し画像データを生成するステップと、
前記生成された画像データを、上下反転の演算処理をした上で保存するステップと
を含む
撮影画面制御方法。
【請求項８】
請求項７に記載の撮影画面制御方法であって、
撮影設定の中に、前記操作メニュー画面の反転を選択させるための項目を設けるステップと、
前記項目が指定された場合、前記操作メニュー画面が上下反転するように処理するステップと
を更に含む
撮影画面制御方法。
【請求項９】
請求項７又は８に記載の撮影画面制御方法であって、
ムービー録画時に、前記操作メニュー画面が上下反転するように処理するステップと、
ムービー録画時に、前記被写体の動画を録画して画像データを生成し、前記生成された画像データを、上下反転処理した上で保存するステップと
を更に含む
撮影画面制御方法。
【請求項１０】
請求項７乃至９のいずれか一項に記載の撮影画面制御方法であって、
前記携帯端末装置の反転状態を検出するステップと、
前記携帯端末装置の反転状態が検出された場合、自動的に、前記操作メニュー画面が上下反転するように処理し、前記生成された画像データを、上下反転の演算処理をした上で保存するステップと
を更に含む
撮影画面制御方法。
【請求項１１】
請求項７乃至１０のいずれか一項に記載の撮影画面制御方法であって、
セルフタイマーＯＮ設定か、セルフタイマーＯＦＦ設定かを判定するステップと、
セルフタイマーＯＦＦ設定の場合、通常撮影するステップと、
セルフタイマーＯＮ設定の場合、反転切替機能ＯＮ設定か、反転切替機能ＯＦＦ設定かを判定するステップと、
反転切替機能ＯＦＦ設定の場合、前記操作メニュー画面を上下反転せずに表示するステップと、
反転切替機能ＯＮ設定の場合、前記操作メニュー画面を上下反転して表示し、反転設定フラグを立てるステップと
を更に含む
撮影画面制御方法。
【請求項１２】
請求項１１に記載の撮影画面制御方法であって、
前記生成された画像データを取得した際、前記反転設定フラグの判定を行い、設定＝０（無効）か、設定＝１（有効）かを判定するステップと、
設定＝０（無効）の場合、前記生成された画像データを、上下反転の演算処理をせずにそのまま保存するステップと、
設定＝１（有効）の場合、前記生成された画像データを、上下反転の演算処理をした上で保存するステップと
を更に含む
撮影画面制御方法。
【請求項１３】
定位置に置かれたカメラ機能付きの携帯端末装置により実行されるプログラムであって、
セルフタイマー撮影時に、撮影を要求されてからの経過時間をセルフタイマーでカウントするステップと、
セルフタイマー撮影時に、操作メニュー画面が上下反転するように処理するステップと、
セルフタイマー撮影時に、撮影を要求されてから予め設定された時間が経過した場合、被写体を撮影し画像データを生成するステップと、
前記生成された画像データを、上下反転の演算処理をした上で保存するステップと
を携帯端末装置に実行させるための
プログラム。
【請求項１４】
請求項１３に記載のプログラムであって、
撮影設定の中に、前記操作メニュー画面の反転を選択させるための項目を設けるステップと、
前記項目が指定された場合、前記操作メニュー画面が上下反転するように処理するステップと
を更に携帯端末装置に実行させるための
プログラム。
【請求項１５】
請求項１３又は１４に記載のプログラムであって、
ムービー録画時に、前記操作メニュー画面が上下反転するように処理するステップと、
ムービー録画時に、前記被写体の動画を録画して画像データを生成し、前記生成された画像データを、上下反転処理した上で保存するステップと
を更に携帯端末装置に実行させるための
プログラム。
【請求項１６】
請求項１３乃至１５のいずれか一項に記載のプログラムであって、
前記携帯端末装置の反転状態を検出するステップと、
前記携帯端末装置の反転状態が検出された場合、自動的に、前記操作メニュー画面が上下反転するように処理し、前記生成された画像データを、上下反転の演算処理をした上で保存するステップと
を更に携帯端末装置に実行させるための
プログラム。
【請求項１７】
請求項１３乃至１６のいずれか一項に記載のプログラムであって、
セルフタイマーＯＮ設定か、セルフタイマーＯＦＦ設定かを判定するステップと、
セルフタイマーＯＦＦ設定の場合、通常撮影するステップと、
セルフタイマーＯＮ設定の場合、反転切替機能ＯＮ設定か、反転切替機能ＯＦＦ設定かを判定するステップと、
反転切替機能ＯＦＦ設定の場合、前記操作メニュー画面を上下反転せずに表示するステップと、
反転切替機能ＯＮ設定の場合、前記操作メニュー画面を上下反転して表示し、反転設定フラグを立てるステップと
を更に携帯端末装置に実行させるための
プログラム。
【請求項１８】
請求項１７に記載のプログラムであって、
前記生成された画像データを取得した際、前記反転設定フラグの判定を行い、設定＝０（無効）か、設定＝１（有効）かを判定するステップと、
設定＝０（無効）の場合、前記生成された画像データを、上下反転の演算処理をせずにそのまま保存するステップと、
設定＝１（有効）の場合、前記生成された画像データを、上下反転の演算処理をした上で保存するステップと
を更に携帯端末装置に実行させるための
プログラム。
【発明の詳細な説明】
【技術分野】
【０００１】
本発明は、携帯端末装置に関し、特にカメラ機能付き携帯端末装置に関する。
【背景技術】
【０００２】
通常、カメラ機能付き携帯電話装置には、セルフタイマー機能が搭載されている。しかし、携帯電話装置におけるカメラの実装位置によっては、セルフタイマーの使い勝手が非常に悪く、撮影者自身も共に写るという本来の目的達成が困難な場合がある。
【０００３】
例えば、カメラがキー操作部の裏側に配置されている折畳み式携帯電話装置の場合、携帯電話装置を９０度に折畳み、正面をＬＣＤ（液晶ディスプレイ）、反対面を台座とすることで、セルフタイマー撮影は可能であるが、保存される画像は上下反転してしまうといった問題がある。
【０００４】
関連する技術として、特開２００５−１１０１１４号公報（特許文献１）に携帯機器が開示されている。
この関連技術では、ユーザーは、シャッターボタンを長押しする。これにより、メニュー画面は、通常の状態から１８０度反転して表示される。すなわち、この関連技術では、メニュー画面を標準状態から反転させる操作として、シャッターボタンを長押しする。或いは、他に設けられた操作ボタンによって操作されても良い。また、標準状態は、シャッターボタンを用いて撮影する場合であっても良い。
【０００５】
また、特開平０８−０６５５６６号公報（特許文献２）に撮像装置が開示されている。
この関連技術では、ビデオカメラ部と表示機器である液晶ディスプレイまたは記録機器との間に画像配列変換回路を設け、筐体にビデオカメラ部の角度位置を検出するスイッチを設ける。また、ビデオカメラ部を撮像素子とレンズから構成し、筐体の縁に縁と平行な軸回りに回転自在に軸支する。ビデオカメラの角度によって一義的に画像配列変換回路を動作させるので、発生する倒立像は自動的に正立化する。
【０００６】
【特許文献１】特開２００５−１１０１１４号公報
【特許文献２】特開平０８−０６５５６６号公報
【発明の開示】
【発明が解決しようとする課題】
【０００７】
カメラがキー操作部の裏側に配置されている折畳み式携帯電話装置の場合、携帯電話装置を９０度に折畳み、正面をＬＣＤ、反対面を台座とすることで、セルフタイマー撮影は可能であるが、保存される画像は上下反転してしまうといった問題があった。
【課題を解決するための手段】
【０００８】
本発明の携帯端末装置は、カメラ機能付きの折畳み式携帯端末装置であって、定位置に置くため、折畳み式携帯端末装置を所定の角度（例えば、９０度）に折畳むことで形成される台座と、被写体を撮影し画像データを生成する撮影手段と、セルフタイマー撮影時に、撮影を要求されてからの経過時間をカウントするセルフタイマーと、セルフタイマー撮影時に、撮影を要求されてから予め設定された時間が経過した場合、撮影手段に対して、撮影を指示する制御手段とを具備する。制御手段は、セルフタイマー撮影時に、操作メニュー画面が上下反転するように処理し、撮影手段により生成された画像データを、上下反転の演算処理をした上で保存する。
【０００９】
本発明の撮影画面制御方法は、カメラ機能付きの折畳み式携帯端末装置を所定の角度に折畳み、定位置に置くステップと、セルフタイマー撮影時に、撮影を要求されてからの経過時間をセルフタイマーでカウントするステップと、セルフタイマー撮影時に、操作メニュー画面が上下反転するように処理するステップと、セルフタイマー撮影時に、撮影を要求されてから予め設定された時間が経過した場合、被写体を撮影し画像データを生成するステップと、生成された画像データを、上下反転の演算処理をした上で保存するステップとを含む。
【００１０】
本発明のプログラムは、所定の角度に折畳まれて定位置に置かれたカメラ機能付きの折畳み式携帯端末装置により実行されるプログラムであって、セルフタイマー撮影時に、撮影を要求されてからの経過時間をセルフタイマーでカウントするステップと、セルフタイマー撮影時に、操作メニュー画面が上下反転するように処理するステップと、セルフタイマー撮影時に、撮影を要求されてから予め設定された時間が経過した場合、被写体を撮影し画像データを生成するステップと、生成された画像データを、上下反転の演算処理をした上で保存するステップとを携帯端末装置に実行させるためのプログラムである。
【発明の効果】
【００１１】
セルフタイマー設定時に、設定メニュー画面の表示の上下反転処理を行うことで、セルフタイマー撮影操作の利便性の向上を図ると共に、撮影された画像の保存の際、自動的に画像を上下反転処理をした上で保存することで、保存された画像の閲覧の利便性の向上を図る。
【発明を実施するための最良の形態】
【００１２】
以下に、本発明の第１実施形態について添付図面を参照して説明する。
図１を参照すると、本実施形態における携帯端末装置１は、送受信アンテナ２と、無線部３と、制御部４と、表示部５と、カメラ部６と、キー操作部７と、メモリ部８を備える。
【００１３】
送受信アンテナ２及び無線部３は、基地局と通信を行う。制御部４は、携帯端末装置全体の制御及びカメラ制御を行う。表示部５は、カメラ撮影画像を表示する。カメラ部６は、カメラ撮影を行う。すなわち、カメラ部６は、被写体を撮影し画像データを生成する。キー操作部７は、キー操作により制御を行う。メモリ部８は、カメラ撮影した画像を保存する。
【００１４】
本発明の携帯端末装置は、折畳み式の携帯端末装置である。ここでは、携帯端末装置の例として、折畳み式の携帯電話装置を想定している。他にも、折畳み式の携帯端末装置の例として、ノート型ＰＣ（パソコン）や、ＰＤＡ（Ｐｅｒｓｏｎａｌ  Ｄｉｇｉｔａｌ  Ａｓｓｉｓｔａｎｔｓ）、携帯型ゲーム機、デジタルカメラ、或いは，ＣＣＤ（Ｃｈａｒｇｅ  Ｃｏｕｐｌｅｄ  Ｄｅｖｉｃｅ）カメラ等が考えられる。但し、実際には、これらの例に限定されない。
【００１５】
送受信アンテナ２及び無線部３の例として、アンテナ等の通信装置を想定している。なお、送受信アンテナ２及び無線部３は、無線通信を行う装置に限らず、有線通信を行う装置でも良い。この場合、送受信アンテナ２及び無線部３の例として、ＮＩＣ（Ｎｅｔｗｏｒｋ  Ｉｎｔｅｒｆａｃｅ  Ｃａｒｄ）等のネットワークアダプタや、接続口（コネクタ）等の通信ポート等が考えられる。また、送受信アンテナ２及び無線部３が利用する通信回線の例として、インターネット、ＬＡＮ（Ｌｏｃａｌ  Ａｒｅａ  Ｎｅｔｗｏｒｋ）、無線ＬＡＮ（Ｗｉｒｅｌｅｓｓ  ＬＡＮ）、携帯電話網、ＷｉＭＡＸ、３Ｇ（第３世代携帯電話）、専用線、ＩｒＤＡ（Ｉｎｆｒａｒｅｄ  Ｄａｔａ  Ａｓｓｏｃｉａｔｉｏｎ）、Ｂｌｕｅｔｏｏｔｈ（登録商標）、シリアル通信回線等が考えられる。但し、実際には、これらの例に限定されない。
【００１６】
制御部４の例として、ＣＰＵ（Ｃｅｎｔｒａｌ  Ｐｒｏｃｅｓｓｉｎｇ  Ｕｎｉｔ）やマイクロプロセッサ（ｍｉｃｒｏｐｒｏｃｅｓｓｏｒ）等の処理装置、又は同様の機能を有する半導体集積回路（Ｉｎｔｅｇｒａｔｅｄ  Ｃｉｒｃｕｉｔ（ＩＣ））が考えられる。なお、制御部４は、本発明における制御部４としての機能をコンピュータに実行させるためのプログラムでも良い。但し、実際には、これらの例に限定されない。
【００１７】
表示部５の例として、ＬＣＤ（液晶ディスプレイ）やＰＤＰ（プラズマディスプレイ）、有機ＥＬディスプレイ（ｏｒｇａｎｉｃ  ｅｌｅｃｔｒｏｌｕｍｉｎｅｓｃｅｎｃｅ  ｄｉｓｐｌａｙ）等の表示装置や、プロジェクタ等の映写装置等が考えられる。或いは、表示部５は、外部の表示装置に表示用の情報を提供して表示させるインターフェース（Ｉ／Ｆ：ｉｎｔｅｒｆａｃｅ）でも良い。外部の表示装置の例として、大型ディスプレイや、他の携帯端末装置等が考えられる。但し、実際には、これらの例に限定されない。
【００１８】
カメラ部６の例として、ＣＣＤやＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）等の光に反応する半導体素子を使って映像を電気信号に変換する装置が考えられる。なお、カメラ部６は、カメラ撮影に限らず、スキャナやバーコードリーダとしての用途に用いられる場合も考えられる。但し、実際には、これらの例に限定されない。
【００１９】
キー操作部７の例として、キーボードやキーパッド、マウス及び画面上のキーパッド、タッチパネル（ｔｏｕｃｈ  ｐａｎｅｌ）、タブレット（ｔａｂｌｅｔ）等が考えられる。或いは、キー操作部７は、外部の入力装置や通信装置から情報を取得するインターフェース（Ｉ／Ｆ：ｉｎｔｅｒｆａｃｅ）でも良い。すなわち、キー操作部７は、携帯端末装置１を遠隔操作するための装置でも良い。但し、実際には、これらの例に限定されない。
【００２０】
メモリ部８の例として、メモリ等の半導体記憶装置、ハードディスク等の外部記憶装置（ストレージ）、又は記憶媒体（メディア）等が考えられる。但し、実際には、これらの例に限定されない。
【００２１】
図２に、通常カメラ撮影時の状態を示す。
図２に示す状態では、携帯端末装置１を１８０度に展開して所持している。この場合、被写体は、カメラ部６で取り込まれ、表示部５に表示される。シャッターはシャッターボタン９により行われる。なお、シャッターボタン９は、キー操作部７に含まれていても良い。すなわち、キー操作部７とシャッターボタン９は、同一の装置でも良い。
【００２２】
図３に、セルフタイマー撮影時の状態を示す。
図３に示す状態では、携帯端末装置１を９０度に折畳み、正面をＬＣＤ、反対面を台座として安置している。この場合、通常撮影と同様に、被写体は、カメラ部６で取り込まれ、表示部５に表示される。なお、携帯端末装置１を折畳む際の角度は９０度に限定されない。例えば、２７０度でも良い。実際には、携帯端末装置１が定位置に置かれた状態でセルフタイマー撮影が可能な角度であれば良い。この角度は、携帯端末装置１の折畳みのための蝶番（ヒンジ）や、カメラ部６の可動範囲によって異なる。
【００２３】
図４に、これまでの携帯端末装置における、セルフタイマー撮影時の表示画面を示す。
図４に示す通り、カメラ画像の詳細設定を行えるメニュー画面１０が上下反転してしまっており、利便性が悪い。また、図５に示す様に、保存画面１１は上下反転した状態で記録されてしまう。
【００２４】
本発明における、セルフタイマー撮影時の表示画面を図６に示す。ユーザーによる反転選択設定によりメニュー画面１２は上下反転が補正され、操作の利便性が改善される。また、図７に示す様に、保存画面１３は、上下反転が補正された状態で記録される。すなわち、本発明では、操作メニュー画面及び撮影された画像は、共に上下反転が補正される。
【００２５】
図８に、本実施形態における設定時の実施フローを示す。
（１）ステップＳ１０１
制御部４は、キー操作部７に対するメニュー操作に応じて、カメラ部６を起動する。
（２）ステップＳ１０２
制御部４は、キー操作部７に対するメニュー操作に応じて、セルフタイマー機能を切替選択する。このとき、制御部４は、セルフタイマーＯＮ設定か、セルフタイマーＯＦＦ設定かを判定する。
（３）ステップＳ１０３
制御部４は、セルフタイマーＯＦＦ設定の場合、カメラ部６により通常撮影する。
（４）ステップＳ１０４
制御部４は、セルフタイマーＯＮ設定の場合、反転切替メニューに移る。このとき、制御部４は、反転切替機能ＯＮ設定か、反転切替機能ＯＦＦ設定かを判定する。
（５）ステップＳ１０５
制御部４は、反転切替機能ＯＦＦ設定の場合、通常メニュー表示でのセルフタイマー機能動作を開始する。
（６）ステップＳ１０６
制御部４は、反転切替機能ＯＮ設定の場合、撮影時のメニュー表示を上下反転すると共に、反転設定フラグを立てる。ここでは、反転設定フラグは、設定＝０（無効）、又は、設定＝１（有効）とする。
【００２６】
図９に、セルフタイマー撮影時の実施フローを示す。
（１）ステップＳ２０１
制御部４は、シャッターボタン９の押下を検出する。
（２）ステップＳ２０２
制御部４は、セルフタイマーのカウントＵｐを行う。すなわち、制御部４は、シャッターボタン９の押下に応じて、セルフタイマーにより、シャッターボタン９が押下された時からの経過時間のカウントを開始する。
（３）ステップＳ２０３
制御部４は、タイマー満了により、画像取り込みを行う。ここでは、制御部４は、カウントされた値が予め設定された閾値に達した際に、カメラ部６により撮影し、撮影された画像の取り込みを行う。
（４）ステップＳ２０４
制御部４は、反転設定フラグ判定を行い、設定＝０（無効）か、設定＝１（有効）かを判定する。
（５）ステップＳ２０５
制御部４は、設定＝０（無効）の場合、通常画像で、メモリ部８へ保存する。すなわち、制御部４は、取り込み画像に変更を加えず、撮影された時点の状態で、メモリ部８へ保存する。
（６）ステップＳ２０６
制御部４は、設定＝１（有効）の場合、取り込み画像を上下反転処理を実施した上で、メモリ部８へ保存する。
【００２７】
これまでは、カメラがキー操作部の裏側に配置されている折畳み式携帯端末装置の場合、携帯端末装置を９０度に折畳み、正面をＬＣＤ、反対面を台座とすることで、セルフタイマー撮影は可能であるが、保存される画像は上下反転してしまうといった問題があった。
【００２８】
本発明では、折畳み式携帯端末装置においてセルフタイマー設定時に、反転モード選択機能を設けることで、セルフタイマ撮影操作の利便性を図ると共に、撮影された画像の保存の際、自動的に画像を上下反転した上で保存することで、上下反転保存の問題点を回避する効果がある。
【００２９】
以下に、本発明の第２実施形態について説明する。
本実施形態では、ムービー録画における事例を示す。本実施形態では、セルフタイマー撮影と同様に上下反転処理をした上で、保存することを特徴とする。
【００３０】
なお、カメラ部６は、ムービー録画時には、一定時間、被写体を継続して撮影することで、動画データを生成する。すなわち、カメラ部６は、動画の録画を行う。
【００３１】
図１０に、設定時の実施フローを示す。
（１）ステップＳ３０１
制御部４は、キー操作部７に対するメニュー操作に応じて、ムービーモードを開始する。制御部４は、ムービーモードの場合、カメラ部６により動画の録画を行うようにする。
（２）ステップＳ３０２
制御部４は、キー操作部７に対するメニュー操作に応じて、反転切替設定を選択する。このとき、制御部４は、反転切替設定ＯＮ設定か、反転切替設定ＯＦＦ設定かを判定する。
（３）ステップＳ３０３
制御部４は、反転切替設定ＯＦＦの場合、カメラ部６による通常録画を開始する。この場合、制御部４は、カメラ部６により通常の動画の録画を行う。
（４）ステップＳ３０４
制御部４は、反転切替設定ＯＮの場合、表示部５に上下反転メニューを表示する。
（５）ステップＳ３０５
制御部４は、カメラ部６による上下反転録画を開始する。この場合、制御部４は、カメラ部６により上下反転させた動画の録画を行う。
【００３２】
以下に、本発明の第３実施形態について説明する。
本実施形態では、図１１に示すように、携帯端末装置を９０度横にした状態で使用した際、メニューも９０度回転するよう、メニュー画面１４のような選択も設定可能にする。また、保存画像についての反転は、任意に選択可能にする。
【００３３】
以下に、本発明の第４実施形態について説明する。
本実施形態における携帯端末装置１は、３軸のジャイロ、加速度計、地磁気センサ等の携帯端末装置１の反転状態が検出できるセンサを実装する。これにより、本実施形態における携帯端末装置１は、携帯端末装置１が上下反転していることをセンサが検知した結果をトリガーにして、自動的にメニュー反転設定とすることも可能である。
【００３４】
以上のように、本発明では、折畳み式携帯端末装置において、セルフタイマー設定時に、反転モード選択機能を設けることで、セルフタイマー撮影操作の利便性を図ると共に、撮影された画像の保存の際、自動的に画像を上下反転処理をした上で保存することで、これまでの問題点を回避することが出来る。
【００３５】
本発明の携帯端末装置は、カメラ撮影機能設定の中に操作メニュー表示の反転選択機能を有することを特徴とする。
【００３６】
また、本発明の携帯端末装置は、セルフタイマー撮影時に、操作メニュー画面が上下反転する機能を有することを特徴とする。
【００３７】
また、本発明の携帯端末装置は、セルフタイマー撮影により取り込まれた画像を、上下反転の演算処理をした上で保存する機能を有する。
【００３８】
また、本発明の携帯端末装置は、ムービー録画により取り込まれた画像を、上下反転処理した上で保存する機能を有することを特徴とする。
【図面の簡単な説明】
【００３９】
【図１】図１は、本発明の第１実施形態における携帯端末装置の構成例を示すブロック図である。
【図２】図２は、通常カメラ撮影時の状態を示す図である。
【図３】図３は、セルフタイマー撮影時の状態を示す図である。
【図４】図４は、これまでの携帯端末装置におけるセルフタイマー撮影時の表示画面を示す図である。
【図５】図５は、上下反転した状態で記録された画像の例を示す図である。
【図６】図６は、本発明の携帯端末装置におけるセルフタイマー撮影時の表示画面を示す図である。
【図７】図７は、上下反転が補正された状態で記録された画像の例を示す図である。
【図８】図８は、本発明の第１実施形態における設定時の動作を示すフローチャートである。
【図９】図９は、セルフタイマー撮影時の動作を示すフローチャートである。
【図１０】図１０は、本発明の第２実施形態における設定時の動作を示すフローチャートである。
【図１１】図１１は、本発明の第３実施形態におけるメニュー画面の表示例を示す図である。
【符号の説明】
【００４０】
１…  携帯端末装置
２…  送受信アンテナ
３…  無線部
４…  制御部
５…  表示部
６…  カメラ部
７…  キー操作部
８…  メモリ部
９…  シャッターボタン
１０，１２，１４…  メニュー画面
１１，１３…  保存画面
【図１】
2009260517.tif 000003
【図２】
2009260517.tif 000004
【図３】
2009260517.tif 000005
【図４】
2009260517.tif 000006
【図５】
2009260517.tif 000007
【図６】
2009260517.tif 000008
【図７】
2009260517.tif 000009
【図８】
2009260517.tif 000010
【図９】
2009260517.tif 000011
【図１０】
2009260517.tif 000012
【図１１】
2009260517.tif 000013